(57)【要約】      （修正有）【課題】取付環境に応じた長さ調節が簡便にでき、施工性に優れる鎖樋を提供する。【解決手段】鎖樋を、短筒状体からなる雨水ガイド体と、該雨水ガイド体が係止される鎖樋素体１とを上下方向に連設してなる鎖樋であって、該鎖樋素体１は、央部に軸体Ｐを有し、軸心に対して対称に配設された、上下端央部に集結するフレームＦを有する枠体部１１と、該枠体部１１の上端央部にその軸心方向に上向きに突設された上部引掛部１２と、該枠体部の下端央部にその軸心方向に下向きに突設された下部引掛部１３とを備え、上下方向に連続する鎖樋素体１における一方の上部引掛部１２と他方の下部引掛部１３との間でいずれか一方が他方に挿脱自在に引掛けられてなるものとする。【選択図】図１
2010116721.tif 000002
【特許請求の範囲】
【請求項１】
短筒状体からなる雨水ガイド体と、該雨水ガイド体が係止される鎖樋素体を上下方向に連設してなる鎖樋であって、該鎖樋素体は、軸心を中心にして等角度に配設された、上下端央部に集結するフレームを有する枠体部と、該枠体部の上端央部にその軸心方向に上向きに突設された上部引掛部と、該枠体部の下端央部にその軸心方向に下向きに突設された下部引掛部とを備え、上下方向に連続する鎖樋素体における一方の上部引掛部と他方の下部引掛部との間でいずれか一方が他方に挿脱自在に引掛けられてなることを特徴とする鎖樋。
【請求項２】
前記上部引掛部と下部引掛部は、いずれか一方にスリットが設けられてなることを特徴とする請求項１記載の鎖樋。
【請求項３】
前記枠体部が、その側部に雨水ガイド体を係止する突起または凹部を具備することを特徴とする請求項１または２記載の鎖樋。
【発明の詳細な説明】
【技術分野】
【０００１】
本発明は、雨水を下方へ流下せしめる鎖樋に関するものである。
【背景技術】
【０００２】
従来より、鎖樋として、短筒状体と連結具とを一体に連結成形してなるものが知られている（例えば、特許文献１〜３参照）。
しかし、このような鎖樋では、任意生産ができない上に、施工時においては、住宅仕様の多様化等の取付環境に応じてその都度長さを調整する必要があり、例えば鎖樋の長さに比し屋根高さが低過ぎる物件に対しては鎖樋の切断加工を要し、それに伴い廃棄物が生じるのを免れないし、また、屋根高さが高過ぎる物件に対しては継ぎ足し部材を要し、施工工数が多大になる等の煩瑣な施工作業の労を免れないという問題がある。
【０００３】
【特許文献１】実開平５−５８７３３号公報
【特許文献２】実開平５−４０４５５号公報
【特許文献３】実開平５−７８２５号公報
【発明の開示】
【発明が解決しようとする課題】
【０００４】
本発明は、このような事情の下、取付環境に応じた長さ調節が簡便にでき、施工性に優れる鎖樋を提供することを課題とするものである。
【課題を解決するための手段】
【０００５】
本発明者らは、上記課題を解決すべく鋭意検討した結果、鎖樋を、短筒状体からなる雨水ガイド体と、それが係止される鎖樋素体とを連設してなるものとし、その鎖樋素体は、上下端央部に集結するフレームを有する所定枠体部と、該枠体部の上端央部にその軸心方向に上向きに突設された上部引掛部と、該枠体部の下端央部にその軸心方向に下向きに突設された下部引掛部とを備え、上下方向に連続する鎖樋素体における一方の上部引掛部と他方の下部引掛部との間でいずれか一方が他方に挿脱自在に引掛けられてなるものとすることにより、上記課題が達成されることを見出し、この知見に基づいて本発明をなすに至った。
【０００６】
すなわち、本発明の第１の発明によれば、短筒状体からなる雨水ガイド体と、該雨水ガイド体が係止される鎖樋素体とを上下方向に連設してなる鎖樋であって、該鎖樋素体は、軸心を中心にして等角度に配設された、上下端央部に集結するフレームを有する枠体部と、該枠体部の上端央部にその軸心方向に上向きに突設された上部引掛部と、該枠体部の下端央部にその軸心方向に下向きに突設された下部引掛部とを備え、上下方向に連続する鎖樋素体における一方の上部引掛部と他方の下部引掛部との間でいずれか一方が他方に挿脱自在に引掛けられてなることを特徴とする鎖樋が提供される。
【０００７】
また、本発明の第２の発明によれば、第１の発明において、前記上部引掛部と下部引掛部は、いずれか一方にスリットが設けられてなることを特徴とする鎖樋が提供される。
【０００８】
また、本発明の第３の発明によれば、第１または２の発明において、前記枠体部が、その側部に雨水ガイド体を係止する突起または凹部を具備することを特徴とする鎖樋が提供される。
【発明の効果】
【０００９】
本発明の鎖樋によれば、鎖樋素体を任意に取り付け、取り外すのが可能となり、施工の際、住宅仕様の多様化等の取付環境に応じて、例えば鎖樋の長さに比し屋根高さが低過ぎる場合には、所望長さになるように余分の鎖樋素体を取り外し、また、屋根高さが高過ぎる場合には、不足分の鎖樋素体を取り付ける作業を簡単に行えるなど、長さ調節が簡便にでき、施工性に優れ、従来のような切断された鎖樋廃棄物の発生等の不具合を生じないという顕著な効果が奏される。
また、本発明の鎖樋によれば、その構成部材の鎖樋素体は、その材料を合成樹脂とすれば射出成形で容易に成形することができ、製造コストを抑えうるという利点がある。
【発明を実施するための最良の形態】
【００１０】
本発明の鎖樋において、それを特徴付ける鎖樋素体について、先ず、説明する。
【００１１】
鎖樋素体は、軸心を中心にして等角度に配設された、上下端央部に集結するフレームを有する枠体部と、該枠体部の上端央部にその軸心方向に上向きに突設された上部引掛部と、該枠体部の下端央部にその軸心方向に下向きに突設された下部引掛部とを備え、上下方向に連続する鎖樋素体における一方の上部引掛部と他方の下部引掛部との間でいずれか一方が他方に挿脱自在に引掛けられてなるものであり、好ましくは、枠体部について、鳥かご様にフレーム数を少なくとも３つとし、各フレームを同一形態とし、対称的に配設させるのが、構造簡単でフォルムが安定する上に、成形しやすく、成形コストも低くなるので好ましい。
上記フレーム数は、好ましくは３〜８、より好ましくは３〜６、特に好ましくは４である。
また、鎖樋素体は、央部に軸体を有していてもよく、このようにすると枠体部に軸芯が入り、格段に強度を強化することができる。
【００１２】
前記枠体部においては、その側部に雨水ガイド体を係止する突起または凹部を具備させるのが好ましい。このようにすることにより、雨水ガイド体を、その下端開口縁や、その狭隘部、例えば下端開口のチュウリップ形状体の窄まった個所で鎖樋素体に係止させたり、また、雨水ガイド体に、前記枠体部における突起または凹部に対応して凹部または突起を設けることで、雨水ガイド体を鎖樋素体に係止させることができるようになる。
【００１３】
また、前記枠体部においては、その頂部に後述の上部鉤状引掛部の挿入用開口部に対峙するように臨ませて小隆起部を設けるのが、一旦該鉤状引掛部に下部被引掛部を挿入させて連結すると、そうでなくても抜け難いのがより一層抜け難くなり、極めて良好な連結状態とすることが可能になるので、好ましい。
【００１４】
前記上部引掛部や下部引掛部は、いずれか一方に、スリットを設けてなるのが好ましい。
上部引掛部は鉤状とするのが好ましい。このような上部鉤状引掛部としては、枠体部の上端央部にその軸心方向に上向きに突設されたリングの下部の一方側が切欠された形態のスリットを有し、挿入用開口部をなす遊端部とされてなるものが好ましく、上記リングの形状としては、特に制限されないが、好ましくは左右対称のもの、例えば逆Ｕ字状、半円状、逆Ｖ字状、矩形状、正方形状、三角形状、山形状等であるのがよい。
また、上部鉤状引掛部に対応して設けられる下部被引掛部は、枠体部の下端央部にその軸心方向に下向きに突設されたリングであるのが好ましく、このようなリングとしては、好ましくはその上部または側部において他の個所より薄肉化して、上部鉤状引掛部の挿入用開口部の間隙とほぼ同サイズの厚みにしたものが好ましい。この薄肉化は、所定個所をその厚みが所要薄肉となるように切削形態とするなどして形成される。このリングの形状としては、特に制限されないが、好ましくは左右対称のもの、例えばＵ字状、半円状、Ｖ字状、矩形状、正方形状、三角形状、皿状、船底状等であるのがよい。
【００１５】
鎖樋素体は、その材料に合成樹脂や金属等、中でも弾性変形しうるものを用いることができる。
合成樹脂としては、熱可塑性樹脂や熱硬化性樹脂が挙げられ、中でも熱可塑性樹脂が好ましい。熱可塑性樹脂としては、例えばポリオレフィン、ポリスチレン、ポリ塩化ビニル、ナイロン等のポリアミド、ＡＢＳ、ＥＶＡ、ポリエチレンテレフタレート、ポリブチレンテレフタレート等のポリエステル、アクリル系樹脂、フッ素樹脂、ポリウレタン、ポリカーボネート、ポリフェニレンオキシド、ポリフェニレンスルフイド、ポリアセタール等が挙げられる。ポリオレフィンとしては具体的には、ＬＬＤＰＥ（線状低密度ポリエチレン）、ＨＤＰＥ（高密度ポリエチレン）、ＬＤＰＥ（低密度ポリエチレン）等のポリエチレン、ポリプロピレン、プロピレン・エチレンブロック共重合体、プロピレン・エチレンランダム共重合体、これら共重合体以外のプロピレン・α−オレフィンブロック共重合体やプロピレン・α−オレフィンランダム共重合体等が挙げられ、中でも耐候性、耐衝撃性に優れるもの、特にポリ塩化ビニルや、その変性物、例えば塩素化ポリ塩化ビニル等が好ましい。
金属としては、りん青銅、黄銅、青銅、ステンレス鋼、ベリリウム銅、アルミニウム等が挙げられる。
鎖樋素体は射出成形体であるのが好ましく、例えば熱可塑性樹脂、中でもポリ塩化ビニルや、その変性物、例えば塩素化ポリ塩化ビニル等の射出成形体が挙げられる。
【００１６】
次に、鎖樋素体に係止される雨水ガイド体は、短筒状体からなり、その形状は特に限定されないが、円形状や多角形状（好ましくは正多角形状）の断面形状、中でも円筒状または漏斗状であるのが好ましく、下端開口のＵ字状、Ｖ字状、チュウリップ形状等であってもよい。また、雨水ガイド体は、装飾的模様が付されていてもよい。
【００１７】
鎖樋素体の連結は、上下方向に連続する鎖樋素体における一方の上部引掛部と他方の下部引掛部との間でいずれか一方を他方に挿脱自在に引掛け、例えば前記上部鉤状引掛部に下部被引掛部を挿入して引っ掛けるなどして、吊下げられるようにすることによって容易に行われ、例えば、この上部鉤状引掛部への下部被引掛部の挿入は、上部鉤状引掛部の挿入用開口部において、少なくとも一部はその間隙とほぼ同サイズの厚みとした下部被引掛部、好ましくはその間隙とほぼ同サイズの厚みの薄肉部位、例えば切り込み部位を設けた下部被引掛部により、行われ、その作業前に予め、作業後作製された鎖樋において下方となる方の鎖樋素体に雨水ガイド体を係止させておけばよい。
【実施例】
【００１８】
以下、図示の実施例により本発明をさらに詳しく説明するが、本発明はこの例によって何ら限定されるものではない。
図１は、４フレーム構造の鎖樋素体の一例を示す斜視図であり、さらに図２及び３は、図１の鎖樋素体の各正面図及び側面図である。
これらの図において、鎖樋素体１は、央部に軸体としてセンターポールＰを有し、４つのフレームＦを、上下端央部に集結させ、十字状にクロスするように水平に下端央部から外方へ直線的に延出された底部、十字状の最外端から軸心にほぼ平行に立ち上げらた側部、及びその先端部から円弧状に曲げられた天上部からなる形態とし、枠体部１１となすとともに、枠体部１１の上端央部に、その軸心方向に上向きに上部鉤状引掛部１２が、また、枠体部１１の下端央部に、その軸心方向に下向きに下部被引掛部１３がそれぞれ突設され、さらに上部鉤状引掛部１２には挿入用開口部をなす遊端部を形成するようにスリット１２１が開設され、下部被引掛部１３の上部には肉薄とした挿入部位１３１が設けられている。
そして、枠体部におけるフレームＦの側部には、外側に雨水ガイド体係止用突起１４が設けられ、これにより鎖樋素体１に嵌合された雨水ガイド体２が、図４、５に示されるように、その下端開口縁や、その狭隘部位で鎖樋素体に係止される。
【産業上の利用可能性】
【００１９】
本発明の鎖樋は、取付環境に応じて長さ調節を簡便に行うことができ、施工性に優れるし、また、その構成部材の鎖樋素体を、合成樹脂製とすれば、射出成形で容易に成形することができ、製造コストを抑えることができるので、産業上大いに有用である。
【図面の簡単な説明】
【００２０】
【図１】本発明の鎖樋に用いられる鎖樋素体の一例の斜視図。
【図２】図１の鎖樋素体の正面図。
【図３】図１の鎖樋素体の側面図。
【図４】雨水ガイド体が係止された鎖樋素体の一例の斜視図。
【図５】図４のＸ−Ｘ矢視縦断面透視図。
【符号の説明】
【００２１】
Ａ  鎖樋
１  鎖樋素体
１１枠体部
Ｆ  フレーム
Ｐ  軸体
１２  上部鉤状引掛部
１２１  スリット
１３  下部被引掛部
１３１  挿入部位
１４  雨水ガイド体係止用突起
２  雨水ガイド体
【図１】
2010116721.tif 000003
【図２】
2010116721.tif 000004
【図３】
2010116721.tif 000005
【図４】
2010116721.tif 000006
【図５】
2010116721.tif 000007